(57)【特許請求の範囲】
【請求項１】
一方の面および他方の面に受ける圧力差に応じた信号を出力するセンサダイアフラムと、前記センサダイアフラムの一方の面にその周縁部を対面させて接合され当該センサダイアフラムの一方の面へ被測定流体の圧力を導く第１の導圧孔を有する第１の保持部材と、前記センサダイアフラムの他方の面にその周縁部を対面させて接合され当該センサダイアフラムの他方の面を大気に解放させる第２の導圧孔を有する第２の保持部材とを備えたセンサチップと、
前記センサチップにおける前記被測定流体の圧力を導入する側の面と接合され、前記センサチップにおける前記導入する側の面に対して反対側の面と接合されないボディと、
前記ボディに設けられ前記被測定流体からの圧力を受ける受圧ダイアフラムと、
一端が前記センサダイアフラムにおけるセンサ抵抗パターンの配置面と電気的に接続され、前記センサ抵抗パターンの配置面からの前記圧力差に応じた信号を伝達するワイヤと、
前記ボディに設けられ、前記ワイヤの他端と電気的に接続される接続部と
を備え、
前記ボディは、
前記センサチップが接合されるベースボディと、
前記センサチップが接合されないカバーボディと、
を有し、
前記ベースボディは、前記受圧ダイアフラムと前記センサチップの接合面との間に、前記受圧ダイアフラムが受けた前記被測定流体からの圧力を前記第１の保持部材の第１の導圧孔を通して前記センサダイアフラムにおける前記センサ抵抗パターンの配置面に導く圧力伝達媒体が封入された封入室を有し、
前記接続部は、前記ベースボディに設けられる
ことを特徴とする圧力センサ。
【請求項２】
請求項１に記載された圧力センサにおいて、
前記第１の保持部材と前記第２の保持部材とは前記センサダイアフラムを挟んで対向する面の面積が異なり、
前記ワイヤの一端は、前記第１の保持部材および前記第２の保持部材のうち外側にはみ出た保持部材の周縁部に位置する前記センサダイアフラムの面と接続される
ことを特徴とする圧力センサ。
【請求項３】
請求項２に記載された圧力センサにおいて、
前記第１の保持部材と前記第２の保持部材とは、
前記センサダイアフラムを挟んで対向する面の面積が前記第２の保持部材よりも前記第１の保持部材の方が小とされている
ことを特徴とする圧力センサ。
【請求項４】
請求項２に記載された圧力センサにおいて、
前記第１の保持部材と前記第２の保持部材とは、
前記センサダイアフラムを挟んで対向する面の面積が前記第１の保持部材よりも前記第２の保持部材の方が小とされている
ことを特徴とする圧力センサ。
【請求項５】
請求項１〜４のいずれか１項に記載された圧力センサにおいて、
前記接続部は、
前記ワイヤと接続される電極ピンが設けられた中継端子である
ことを特徴とする圧力センサ。
【請求項６】
請求項１〜４のいずれか１項に記載された圧力センサにおいて、
前記接続部は、
前記ワイヤと接続される回路が形成された基板である
ことを特徴とする圧力センサ。
【発明の詳細な説明】
【技術分野】
【０００１】
本発明は、一方の面および他方の面に受ける圧力差に応じた信号を出力するセンサダイアフラムを用いた圧力センサに関する。
【背景技術】
【０００２】
従来より、工業用の圧力センサとして、一方の面および他方の面に受ける圧力差に応じた信号を出力するセンサダイアフラムを用いた圧力センサが用いられている（例えば、特許文献１参照）。
【０００３】
この圧力センサは、受圧ダイアフラムに加えられる被測定流体の圧力をシリコーンオイル等の圧力伝達媒体（封入液）によってセンサダイアフラムの一方の面に導き、他方の面との間の圧力差により生じるセンサダイアフラムの歪みを例えば歪抵抗ゲージの抵抗値変化として検出し、この抵抗値変化を電気信号に変換して取り出すように構成されている。
【０００４】
図６に従来の圧力センサの要部を示す。同図において、１は金属製のボディ、２は受圧ダイアフラム、３はボディ１の内部に形成された封入室、４は封入室３に設けられたセンサチップ、５（５−１，５−２）は電極ピンである。
【０００５】
この圧力センサ１００において、ボディ１はベースボディ１−１とカバーボディ１−２とから構成され、封入室３は受圧室３−１と導圧路３−２とセンサ室３−３とから構成されている。受圧ダイアフラム２は、ベースボディ１−１の上面にその外周縁面を溶接して固定されており、この受圧ダイアフラム２の背面に受圧室３−１が形成され、この受圧室３−１が導圧路３−２を通してセンサ室３−３と連通している。この受圧室３−１と導圧路３−２とセンサ室３−３とから構成される封入室３には封入液６が封入されている。
【０００６】
センサチップ４は、センサダイアフラム４−１と、このセンサダイアフラム４−１を挾んで接合された第１の保持部材４−２および第２の保持部材４−３とから構成されている。センサダイアフラム４−１は、シリコンやガラス等からなり、薄板状に形成されたダイアフラムの表面に歪抵抗ゲージが形成されている。図６ではセンサダイアフラム４−１における歪抵抗ゲージの形成面を斜線で示している。
【０００７】
保持部材４−２，４−３もシリコンやガラス等からなり、第１の保持部材４−２には凹部４−２ａとこの凹部４−２ａに連通する圧力導入孔（導圧孔）４−２ｂとが形成され、第２の保持部材４−３には凹部４−３ａとこの凹部４−３ａに連通する圧力導入孔（導圧孔）４−３ｂとが形成されている。第１の保持部材４−２の凹部４−２ａはその底部が平坦面とされているが、第２の保持部材４−３の凹部４−３ａはその底部がセンサダイアフラム４−１の変位に沿った曲面（非球面）とされている。
【０００８】
第１の保持部材４−２は、凹部４−２ａの周縁部４−２ｃをセンサダイアフラム４−１の一方の面４−１ａに対面させて、センサダイアフラム４−１の一方の面４−１ａに接合されている。第２の保持部材４−３は、凹部４−３ａの周縁部４−３ｃをセンサダイアフラム４−１の他方の面４−１ｂに対面させて、センサダイアフラム４−１の他方の面４−１ｂに接合されている。
【０００９】
この圧力センサ１００において、センサチップ４はセンサ室３−３内に設けられ、このセンサチップ４の底面（第２の保持部材４−３の下面）４ａがエポキシ系接着剤を塗布して、センサ室３−３の底面（カバーボディ１−２の内壁面）３ａに接合されている。すなわち、センサチップ４の底面４ａとセンサ室３−３の底面３ａとがエポキシ系の接着材の層（接着層）７を介して接合されている。カバーボディ１−２には、センサチップ４の第２の保持部材４−３の導圧孔４−３ｂに対応する位置に、この導圧孔４−３ｂへの大気圧の導入路（導圧路）１−２ａが形成されている。
【００１０】
また、この圧力センサ１００において、第１の保持部材４−２と第２の保持部材４−３とはセンサダイアフラム４−１を挟んで対向する面の面積が異なり、この例では第２の保持部材（下側の保持部材）４−３の面積よりも第１の保持部材（上側の保持部材）４−２の面積が小さい凸構造とされている。このセンサチップ４の凸構造において、第１の保持部材４−２および第２の保持部材４−３のうち外側にはみ出た保持部材（第２の保持部材４−３）の周縁部に位置するセンサダイアフラム４−１の歪み抵抗ゲージが形成されている面からワイヤ８（８−１，８−２）が導出され、このセンサダイアフラム４−１から導出されたワイヤ８（８−１，８−２）が電極ピン５（５−１，５−２）に接続されている。
【００１１】
電極ピン５は、その一方側の端部がセンサ室３−３の内部に位置し、その他方側の端部がカバーボディ１−２を貫いてセンサ室３−３の外側に位置している。電極ピン５が貫通するカバーボディ１−２の挿通孔１−２ｂは、カバーボディ１−２と電極ピン５との間の電気的絶縁および封入液６の漏洩を防止するために、シール材９によってハーメチックシールされている。
【００１２】
この圧力センサ１００では、被測定流体（流体、ガス）からの圧力Ｐ１を受圧ダイアフラム２が受け、この受圧ダイアフラム２が受けた被測定流体の圧力Ｐ１が封入室３内の封入液６に伝わり、受圧室３−１，導圧路３−２およびセンサ室３−３を経て第１の保持部材４−２の導圧孔４−２ｂに入り、センサダイアフラム４−１の一方の面４−１ａに導かれる。センサダイアフラム４−１の他方の面４−１ｂは、第２の保持部材４−３の導圧孔４−３ｂを通して大気に解放されている。
【００１３】
これにより、センサダイアフラム４−１に歪みが生じ、このセンサダイアフラム４−１の歪みが歪抵抗ゲージの抵抗値変化として検出され、この抵抗値変化が電気信号（圧力差に応じた信号）に変換され、ワイヤ８（８−１，８−２）を通して、電極ピン５（５−１，５−２）より取り出される。
【００１４】
なお、センサダイアフラム４−１の一方の面４−１ａに過大圧が印加されてセンサダイアフラム４−１が変位したとき、その変位面の全体が第２の保持部材４−３の凹部４−３ａの曲面によって受け止められる。これにより、センサダイアフラム４−１に過大圧が印加された時の過度な変位が阻止され、センサダイアフラム４−１の周縁部に応力集中が生じないようにして、過大圧の印加によるセンサダイアフラム４−１の破壊が防がれ、耐圧が高められる。
【先行技術文献】
【特許文献】
【００１５】
【特許文献１】特開平１０−３００６１２号公報
【発明の概要】
【発明が解決しようとする課題】
【００１６】
しかしながら、この圧力センサ１００では、測定媒体など外部腐食環境からセンサチップ４を保護するために、センサチップ４をボディ１の内部に形成された封入室３に収容し、この封入室３をシリコーンオイル等の封入液（圧力伝達媒体）６で満たしている。
【００１７】
この場合、センサダイアフラム４−１から電気信号を取り出すためのワイヤ８と封入液６とが同じ封入室３内にあるために、ワイヤ８に接続される電極ピン５を外側に引き出す際にカバーボディ１−２にハーメチックシールを施さなければならない。このため、構造が複雑となり、小型化への制約となったり、コストが高くなってしまう。
【００１８】
また、センサチップ４全体を封入室３に入れる構造としているために、封入室３の容積（オイル容積）が大きくなり、すなわち封入液６の使用量が大きくなり、圧力センサ１００の温度特性に影響を与える。また、封入液６の使用量を減らすために、封入室３内にオイルスペーサを設けることが考えられるが、オイルスペーサの追加によってコストが高くなってしまう。
【００１９】
本発明は、このような課題を解決するためになされたもので、その目的とするところは、圧力伝達媒体（封入液）の使用量を極小化するとともに、ハーメチックシールレス構造とし、小型化および低コスト化を図ることが可能な圧力センサを提供することにある。
【課題を解決するための手段】
【００２０】
このような目的を達成するために本発明は、一方の面および他方の面に受ける圧力差に応じた信号を出力するセンサダイアフラムと、センサダイアフラムの一方の面にその周縁部を対面させて接合され当該センサダイアフラムの一方の面へ被測定流体の圧力を導く第１の導圧孔を有する第１の保持部材と、センサダイアフラムの他方の面にその周縁部を対面させて接合され当該センサダイアフラムの他方の面を大気に解放させる第２の導圧孔を有する第２の保持部材とを備えたセンサチップと、センサチップが被測定流体の圧力を導入する側の面を接合面として接合されたボディと、ボディに設けられ被測定流体からの圧力を受ける受圧ダイアフラムとを備え、ボディは、受圧ダイアフラムとセンサチップの接合面との間に、受圧ダイアフラムが受けた被測定流体からの圧力を第１の保持部材の第１の導圧孔を通してセンサダイアフラムの一方の面に導く圧力伝達媒体が封入された封入室を備えることを特徴とする。
【００２１】
この発明において、センサチップは、被測定流体の圧力を導入する側の面を接合面としてボディに接合される。ボディには、センサチップの接合面と受圧ダイアフラムとの間に封入室が設けられており、この封入室に封入されている圧力伝達媒体により、受圧ダイアフラムが受けた被測定流体からの圧力が第１の保持部材の第１の導圧孔を通してセンサダイアフラムの一方の面に導かれる。
【００２２】
本発明において、センサチップは、第１の保持部材の第１の導圧孔とセンサダイアフラムの一方の面のみが圧力伝達媒体に触れるのみで、その他の部分は圧力伝達媒体には触れない。すなわち、本発明において、センサチップは圧力伝達媒体で満たされた封入室には入れられておらず、センサチップの内部の空間（センサ部）だけが圧力伝達媒体に触れ、センサチップ全体は封入室の外側に位置する。これにより、センサダイアフラムからの信号の取り出し部を封入室の外側に位置させ、ハーメチックシールレス構造とすることが可能となる。また、封入室の容積を小さくし、圧力伝達媒体（封入液）の使用量を極小化することが可能となる。
【発明の効果】
【００２３】
本発明によれば、被測定流体の圧力を導入する側の面を接合面としてセンサチップをボディに接合するようにし、ボディのセンサチップの接合面と受圧ダイアフラムとの間に封入室を設け、この封入室に封入されている圧力伝達媒体により、受圧ダイアフラムが受けた被測定流体からの圧力を第１の保持部材の第１の導圧孔を通してセンサダイアフラムの一方の面に導くようにしたので、センサチップ全体を封入室の外側に位置させるようにして、圧力伝達媒体（封入液）の使用量を極小化するとともに、ハーメチックシールレス構造とし、小型化および低コスト化を図ることが可能となる。
【図面の簡単な説明】
【００２４】
【図１】図１は、本発明の実施の形態に係る圧力センサの要部の構成を示す断面図である。
【図２】図２は、この圧力センサにおける電極ピンが設けられた中継端子（センサダイアフラムから導出されたワイヤとの接続部）の平面図である。
【図３】図３は、センサダイアフラムから導出されたワイヤとの接続部を回路が形成された基板とした例を示す平面図である。
【図４】図４は、センサチップを第１の保持部材（下側の保持部材）の面積よりも第２の保持部材（上側の保持部材）の面積の方が小さい凸構造とした例を示す図である。
【図５】図５は、カバーボディを取り除いた例を示す図である。
【図６】図６は、従来の圧力センサの要部の構成を示す断面図である。
【発明を実施するための形態】
【００２５】
以下、本発明の実施の形態を図面に基づいて詳細に説明する。図１は、本発明の実施の形態に係る圧力センサの要部の構成を示す図である。
【００２６】
図１において、２１は金属製のボディ、２２は受圧ダイアフラム、２３はボディ２１内の封入室、２４はセンサチップ、２５（２５−１，２５−２）は電極ピン、２６は電極ピン２５（２５−１，２５−２）が設けられた中継端子である。
【００２７】
この圧力センサ２００（２００Ａ）において、ボディ２１はベースボディ２１−１とカバーボディ２１−２とから構成され、ベースボディ２１−１に受圧室２３−１と導圧路２３−２とから構成される封入室２３が設けられている。センサチップ２４は、ベースボディ２１−１とカバーボディ２１−２とで囲まれたセンサ室２０に収容されており、センサ室２０はカバーボディ２１−２に形成された貫通孔２１ａ，２１ｂを通して大気に解放されている。
【００２８】
受圧ダイアフラム２２は、ベースボディ２１−１の下面にその外周縁面を溶接して固定されており、この受圧ダイアフラム２２の背面に受圧室２３−１が形成され、この受圧室２３−１の中央部に導圧路２３−２が形成されている。
【００２９】
センサチップ２４は、センサダイアフラム２４−１と、このセンサダイアフラム２４−１を挾んで接合された第１の保持部材２４−２および第２の保持部材２４−３とから構成されている。センサダイアフラム２４−１は、シリコンやガラス等からなり、薄板状に形成されたダイアフラムの表面に歪抵抗ゲージが形成されている。図１ではセンサダイアフラム２４−１における歪み抵抗ゲージの形成面を斜線で示している。
【００３０】
保持部材２４−２，２４−３もシリコンやガラス等からなり、第１の保持部材２４−２には凹部２４−２ａとこの凹部２４−２ａに連通する圧力導入孔（導圧孔）２４−２ｂとが形成され、第２の保持部材２４−３には凹部２４−３ａとこの凹部２４−３ａに連通する圧力導入孔（導圧孔）２４−３ｂとが形成されている。第１の保持部材２４−２の凹部２４−２ａはその底部が平坦面とされているが、第２の保持部材２４−３の凹部２４−３ａはその底部がセンサダイアフラム２４−１の変位に沿った曲面（非球面）とされている。
【００３１】
第１の保持部材２４−２は、凹部２４−２ａの周縁部２４−２ｃをセンサダイアフラム２４−１の一方の面２４−１ａに対面させて、センサダイアフラム２４−１の一方の面２４−１ａに接合されている。第２の保持部材２４−３は、凹部２４−３ａの周縁部２４−３ｃをセンサダイアフラム２４−１の他方の面２４−１ｂに対面させて、センサダイアフラム２４−１の他方の面２４−１ｂに接合されている。
【００３２】
この圧力センサ２００Ａにおいて、センサチップ２４は、第１の保持部材２４−２を下にして、センサ室２０の底面（ベースボディ２１−１の内壁面）２０ａに接合されている。すなわち、第１の保持部材２４−２の下面２４ａをセンサチップ２４の底面とし、このセンサチップ２４の底面２４ａとセンサ室２０の底面２０ａとが熱応力緩和のため軟接着剤（低ヤング率の接着剤（例えば、フッ素系の接着剤））の層（接着層）２８を介して接合されている。
【００３３】
このセンサチップ２４の底面２４ａのセンサ室２０の底面２０ａへの接合は、ベースボディ２１−１に形成された導圧路２３−２とセンサチップ２４の第１の保持部材２４−２の導圧孔２４−２ｂとの位置を合わせた状態で行われている。これにより、受圧室２３−１と導圧路２３−２とで構成されるベースボディ２１−１内の封入室２３と、センサチップ２４内の凹部２４−２ａと導圧孔２４−２ｂとで構成される空間（センサ部）Ｓ１との連通が図られている。このベースボディ２１−１内の封入室２３とセンサチップ２４内のセンサ部Ｓ１とに封入液２７が封入されている。
【００３４】
一方、センサチップ２４の上面（第２の保持部材２４−３の上面）２４ｂは、解放状態とされている。すなわち、センサチップ２４の第２の保持部材２４−３の導圧孔２４−３ｂは、カバーボディ２１−２に設けられている貫通孔２１ａ，２１ｂを通して大気に解放されている。
【００３５】
また、この圧力センサ２００Ａにおいて、第１の保持部材２４−２と第２の保持部材２４−３とはセンサダイアフラム２４−１を挟んで対向する面の面積が異なり、この例では第２の保持部材（上側の保持部材）２４−３の面積よりも第１の保持部材（下側の保持部材）２４−２の面積の方が小さい凸構造とされている。
【００３６】
このセンサチップ２４の凸構造において、第１の保持部材２４−２および第２の保持部材２４−３のうち外側にはみ出た保持部材（第２の保持部材２４−３）の周縁部に位置するセンサダイアフラム２４−１の歪み抵抗ゲージが形成されている面からワイヤ２９（２９−１，２９−２）が導出され、このセンサダイアフラム２４−１から導出されたワイヤ２９（２９−１，２９−２）が中継端子２６に設けられた電極ピン２５（２５−１，２５−２）に接続されている。
【００３７】
図２に中継端子２６の平面図を示す。中継端子２６は、絶縁材よりなるＵ字状の端子台２６ａと、この端子台２６ａに貫通して設けられた電極ピン２５（２５−１，２５−２）とを備えている。この中継端子２６はセンサ室２０内の内段面（ベースボディ２１−１の上端面）２０ｂにエポキシ系接着剤により接着固定されている。電極ピン２５−１，２５−２は、カバーボディ２１−２に設けられている貫通孔２１ａ，２１ｂを通して、センサ室２０の外側に導出されている。センサ室２０は、大気に解放され、封入液は封入されていない。
【００３８】
この圧力センサ２００Ａでは、被測定流体（流体、ガス）からの圧力Ｐ１を受圧ダイアフラム２２が受け、この受圧ダイアフラム２２が受けた被測定流体の圧力Ｐ１が封入室２３内の封入液２７に伝わり、受圧室２３−１および導圧路２３−２を経て第１の保持部材２４−２の導圧孔２４−２ｂに入り、センサダイアフラム２４−１の一方の面２４−１ａに導かれる。センサダイアフラム２４−１の他方の面２４−１ｂは、第２の保持部材２４−３の導圧孔２４−３ｂを通して大気に解放されている。
【００３９】
これにより、センサダイアフラム２４−１に歪みが生じ、このセンサダイアフラム２４−１の歪みが歪抵抗ゲージの抵抗値変化として検出され、この抵抗値変化が電気信号（圧力差に応じた信号）に変換され、ワイヤ２９（２９−１，２９−２）を通して、中継端子２６に設けられた電極ピン２５（２５−１，２５−２）より取り出される。
【００４０】
なお、センサダイアフラム２４−１の一方の面２４−１ａに過大圧が印加されてセンサダイアフラム２４−１が変位したとき、その変位面の全体が第２の保持部材２４−３の凹部２４−３ａの曲面によって受け止められる。これにより、センサダイアフラム２４−１に過大圧が印加された時の過度な変位が阻止され、センサダイアフラム２４−１の周縁部に応力集中が生じないようにして、過大圧の印加によるセンサダイアフラム２４−１の破壊が防がれ、耐圧が高められる。
【００４１】
この圧力センサ２００Ａにおいて、センサチップ２４は、被測定流体の圧力を導入する側の面（第１の保持部材２４−２の下面）２４ａを接合面としてベースボディ２１−１に接合されている。また、ベースボディ２１−１には、センサチップ２４の接合面２４ａと受圧ダイアフラム２２との間に封入室２３が形成されており、この封入室２３に封入された封入液２７により、受圧ダイアフラム２２が受けた被測定流体からの圧力Ｐ１が第１の保持部材２４−２の導圧孔２４−２ｂを通してセンサダイアフラム２４−１の一方の面２４−１ａに導かれる。
【００４２】
この圧力センサ２００Ａにおいて、センサチップ２４は、第１の保持部材２４−２の導圧孔２４−２ｂとセンサダイアフラム２４−１の一方の面２４−１ａのみが封入液２７に触れるのみで、その他の部分は封入液２７には触れない。すなわち、この圧力センサ２００Ａにおいて、センサチップ２４は封入液２７で満たされた封入室２３には入れられておらず、センサチップ２４内のセンサ部Ｓ１だけが封入液２７に触れ、センサチップ２４全体は封入室２３の外側に位置している。
【００４３】
これにより、本実施の形態の圧力センサ２００Ａでは、封入室２３の容積を小さくし、封入液２７の使用量を極小化することができている。例えば、図６に示した従来の圧力センサ１００に対し、封入液の使用量を１／２０以下とすることができる。これにより、大幅な特性（温度特性、リニアリティ）の改善が達成される。
【００４４】
また、本実施の形態の圧力センサ２００Ａでは、センサチップ２４全体ではなく、センサチップ２４内のセンサ部Ｓ１のみが封入液２７に触れるものとして、オイル中で安定した状態を維持させることが可能となる。また、センサ単体の特性が良いので、キャラクタリゼーションの簡易化へ繋がり、ＣＲ効果が見込まれる。
【００４５】
また、本実施の形態の圧力センサ２００Ａでは、センサダイアフラム２４−１からのワイヤ２９の導出部（ワイヤボンディング面）を封入室２３の外側に位置させ、電極ピン２５と封入室２３中の封入液２７とを分離させている。このため、カバーボディ２１−１に設けられている貫通孔２１ａ，２１ｂを通して導出される電極ピン２５に対してハーメチックシールを施す必要がなく、ハーメチックシールレス構造とすることができている。これにより、構造が簡単となり、小型化を図るとともに、低コスト化を実現することができる。
【００４６】
また、本実施の形態の圧力センサ２００Ａにおいて、センサチップ２４の大気解放側は、フリーな状態（固定されていない）であるため、製作工程による応力が残らない。これにより、特性の改善が図られる。
【００４７】
なお、上述した実施の形態では、センサダイアフラム２４−１から導出されたワイヤ２９（２９−１，２９−２）との接続部として電極ピン２５（２５−１，２５−２）が設けられた中継端子２６を設けるようにしたが、例えば図３に示すように、ワイヤ２９（２９−１，２９−２）と接続される回路が形成された基板３０を設けるようにしてもよい。
【００４８】
また、上述した実施の形態では、センサチップ２４を第２の保持部材（上側の保持部材）２４−３の面積よりも第１の保持部材（下側の保持部材）２４−２の面積の方が小さい凸構造としたが、例えば図４に示す圧力センサ２００（２００Ｂ）のように、第１の保持部材（下側の保持部材）２４−２の面積よりも第２の保持部材（上側の保持部材）２４−３の面積の方が小さい凸構造とするようにしてもよい。
【００４９】
この場合、第１の保持部材２４−２および第２の保持部材２４−３のうち外側にはみ出た保持部材（第１の保持部材２４−２）の周縁部に位置するセンサダイアフラム２４−１の歪み抵抗ゲージが形成されている面からワイヤ２９（２９−１，２９−２）を導出し、このセンサダイアフラム２４−１から導出したワイヤ２９（２９−１，２９−２）を中継端子２６に設けられた電極ピン２５（２５−１，２５−２）に接続するようにする。
【００５０】
図１に示した構造の圧力センサ２００Ａとした場合、すなわちセンサチップ２４を第２の保持部材（上側の保持部材）２４−３の面積よりも第１の保持部材（下側の保持部材）２４−２の面積の方が小さい凸構造とした場合、センサダイアフラム２４−１の歪み抵抗ゲージが形成されている面（センサ抵抗パターンの配置面、電極パッド）が下向きの配置となる。この場合、ワイヤーボンディングをしてからセンサチップ２４を接着する必要があり、組み立てが難しくなる。しかし、センサダイアフラム２４−１のセンサ抵抗パターンが配置されている面が封入液２７で充填されているため、使用環境（大気）に晒されない。このため、使用環境を選ばず、設置環境の自由度がある。
【００５１】
図４に示した構造の圧力センサ２００Ｂとした場合、すなわちセンサチップ２４を第１の保持部材（下側の保持部材）２４−２の面積よりも第２の保持部材（上側の保持部材）２４−３の面積の方が小さい凸構造とした場合、センサダイアフラム２４−１の歪み抵抗ゲージが形成されている面（センサ抵抗パターンの配置面、電極パッド）が上向きの配置となる。この場合、センサチップ２４を接着してからワイヤーボンディングを行うことが可能となり、組み立てが容易となる。しかし、センサダイアフラム２４−１のセンサ抵抗パターンが配置されている面が大気に解放されるので、すなわち封入液２７で保護されていないので、大気解放側がクリーンでない場合、特性に影響が出る。すなわち、使用環境が制限され、設置環境がクリーンである必要がある。
【００５２】
また、上述した実施の形態では、第１の保持部材２４−２の下面を接合面２４ａとし、センサ室２０の底面２０ａにセンサチップ２４を接合するようにしたが、第１の保持部材２４−２の下面に台座を設け、この台座の下面を接合面として、センサチップ２４をセンサ室２０の底面２０ａに接合するなどしてもよい。
【００５３】
また、上述した実施の形態では、ベースボディ２１−１とカバーボディ２１−２とを設け、このベースボディ２１−１とカバーボディ２１−２とでボディ２１を構成するものとしたが、図５に圧力センサ２００（２００Ｃ）として示すように、カバーボディ２１−２を取り除いた構造としてもよい。すなわち、センサチップ２４全体が封入室２３の外側に位置しているので、カバーボディ２１−２は必ずしも必要ではなく、カバーボディ２１−２を取り除くことにより、さらなる小型化および低コスト化を図ることが可能となる。
【００５４】
〔実施の形態の拡張〕
以上、実施の形態を参照して本発明を説明したが、本発明は上記の実施の形態に限定されるものではない。本発明の構成や詳細には、本発明の技術思想の範囲内で当業者が理解し得る様々な変更をすることができる。
【産業上の利用可能性】
【００５５】
本発明は、工業用の圧力センサとして利用することができる。
【符号の説明】
【００５６】
２０…センサ室、２０ａ…底面、２１…ボディ、２１−１…ベースボディ、２１−２…カバーボディ、２２…受圧ダイアフラム、２３…封入室、２３−１…受圧室、２３−２…導圧路、２４…センサチップ、２４ａ…底面（接合面）、２４−１…センサダイアフラム、２４−１ａ…一方の面、２４−１ｂ…他方の面、２４−２…第１の保持部材、２４−２ａ…凹部、２４−２ｂ…圧力導入孔（導圧孔）、２４−２ｃ…周縁部、２４−３…第２の保持部材、２４−３ａ…凹部、２４−３ｂ…圧力導入孔（導圧孔）、２４−３ｃ…周縁部、２５（２５−１，２５−２）…電極ピン、２６…中堅端子、２７…封入液、２８…接着層、２９（２９−１，２９−２）…ワイヤ、３０…基板、２００（２００Ａ，２００Ｂ，２００Ｃ）…圧力センサ。
【図１】
0006588321.tif 000002
【図２】
0006588321.tif 000003
【図３】
0006588321.tif 000004
【図４】
0006588321.tif 000005
【図５】
0006588321.tif 000006
【図６】
0006588321.tif 000007